(57)【要約】 【課題】情報をダウンロードする毎に特別なキー操作を行う必要はなく、非接触ＩＣ処理機能を利用した際に、所望する情報をダウンロードできるようにする。 【解決手段】予めサービス要否情報３１が設定記憶されている状態において、非接触ＩＣ処理部２４を利用した際に、ＣＰＵ１１は、リーダライタ付き外部処理装置３０からの受信情報に基づいて情報配信サービスの提供先を特定すると共に、サービス要否情報３１を参照し、“サービス要”が設定記憶されている場合には、当該提供先の情報配信サーバに対して配信要求を行い、これに応答して当該情報配信サーバから送信されてくる情報をダウンロード受信する。 【選択図】  図1
2007324940.tif 000002
【特許請求の範囲】
【請求項１】
外部処理装置との間で非接触通信を行う非接触ＩＣ処理機能付き携帯端末装置であって、
情報配信サービスを実施する情報配信装置から情報配信サービスを受けるか否かを示すサービス要否を配信制御情報として記憶する制御情報記憶手段と、
前記非接触ＩＣ処理機能を利用した際に、前記外部処理装置からの受信情報に基づいて前記情報配信サービスの提供先を特定する特定手段と、
前記配信制御情報を参照してサービス要否の何れが記憶されているかを判別する判別手段と、
この判別手段によってサービス要が記憶されていることが判別された場合に、前記特定手段によって特定された提供先である前記情報配信装置に対して配信要求を行い、これに応答して当該情報配信装置から送信されてくる情報をダウンロード受信するダウンロード手段と、
を具備したことを特徴とする非接触ＩＣ処理機能付き携帯端末装置。
【請求項２】
前記特定手段は、前記外部処理装置から前記情報配信サービスの提供先を示す情報を受信することによって当該提供先を特定する、
ようにしたことを特徴とする請求項1記載の非接触ＩＣ処理機能付き携帯端末装置。
【請求項３】
前記外部処理装置から前記情報配信サービスのサービス種別を受信することによってその種別に対応して情報の配信要求を行い、これに応答して当該情報配信装置から送信されてくる当該種別の情報をダウンロード受信する、
ようにしたことを特徴とする請求項1記載の非接触ＩＣ処理機能付き携帯端末装置。
【請求項４】
前記特定手段は、前記非接触ＩＣ処理機能を利用した際に、前記外部処理装置が前記情報配信サービスの一環として設けられている特定の外部処理装置であるか否かを判別し、特定の外部処理装置であれば、当該情報配信サービスの提供先を特定する、
ようにしたことを特徴とする請求項1記載の非接触ＩＣ処理機能付き携帯端末装置。
【請求項５】
前記外部処理装置の種類に対応して情報配信サービスの提供先を記憶管理する提供先記憶手段を設け、
前記特定手段は、前記非接触ＩＣ処理機能を利用した際に、その外部処理装置の種類に対応付けられている提供先を前記提供先記憶手段から読み出して特定する、
ようにしたことを特徴とする請求項４記載の非接触ＩＣ処理機能付き携帯端末装置。
【請求項６】
予め設定された登録情報を読み出して出力する登録情報出力手段と、
前記ダウンロード受信した情報を前記登録情報出力手段に対する登録情報とするか否かを示す登録要否を記憶する記憶手段と、
を設け、前記登録要否の何れが記憶されているかを判別し、登録要が記憶されている場合には、前記ダウンロード受信した情報を前記登録情報出力手段に対する登録情報として設定する、
ようにしたことを特徴とする請求項1記載の非接触ＩＣ処理機能付き携帯端末装置。
【請求項７】
前記非接触ＩＣ処理機能を利用した際とは、前記非接触ＩＣ処理機能と外部処理装置との間での交信が成功した時点であり、この時点以降に前記外部処理装置から受信した情報に基づいて前記情報配信サービスの提供先を特定する、
ようにしたことを特徴とする請求項1記載の非接触ＩＣ処理機能付き携帯端末装置。
【請求項８】
前記情報配信装置から提供された情報をダウンロード対象として任意に選択された場合に、その情報をダウンロード受信する、
ようにしたことを特徴とする請求項1記載の非接触ＩＣ処理機能付き携帯端末装置。
【請求項９】
コンピュータに対して、
情報配信サービスを実施する情報配信装置から情報配信サービスを受けるか否かを示すサービス要否を配信制御情報として記憶管理する機能と、
前記非接触ＩＣ処理機能を利用した際に、前記外部処理装置からの受信情報に基づいて前記情報配信サービスの提供先を特定する機能と、
前記配信制御情報を参照してサービス要否の何れが記憶されているかを判別する機能と、
サービス要が記憶されていることが判別された場合に、前記特定された提供先である前記情報配信装置に対して配信要求を行い、これに応答して当該情報配信装置から送信されてくる情報をダウンロード受信する機能と、
を実現させるためのプログラム。
【発明の詳細な説明】
【技術分野】
【０００１】
この発明は、外部処理装置との間で非接触通信を行う非接触ＩＣ処理機能付き携帯端末装置及びプログラムに関する。
【背景技術】
【０００２】
従来、各種の情報をダウンロード受信する技術としては、現在位置、現在時刻に応じた情報をネットワーク経由でダウンロード受信するようにした携帯端末装置のほか、例えば、画像情報、着信メロディなどをサーバからダウンロードして記憶するようにした携帯端末装置が知られている（特許文献１参照）。また、商品に添付されている非接触ＩＣタグからＵＲＬ情報を読み取って情報供給サーバをアクセスし、このサーバから情報をダウンロード受信するようにした技術が知られている（特許文献２参照）。
【特許文献１】特開２００４−２４８１７０号公報
【特許文献２】特開２００６−４８１５９号公報
【発明の開示】
【発明が解決しようとする課題】
【０００３】
しかしながら、上述したいずれの公知技術にあっては、情報のダウンロードを要求する要求操作をユーザ自身が意識的に行う必要があった。すなわち、予め情報を配信元が記憶管理されている状態において、ダウンロード用のメニューを開いたのちに、情報配信元を指定してアクセス要求を行う一連の操作が必要となり、また、商品に添付されている非接触ＩＣタグからＵＲＬ情報を読み取る操作を行ったのちに、情報配信元に対してアクセス要求を行う一連の操作が必要となる。このようにダウンロード毎に煩雑な操作を行うことは、ユーザに大きな負担をかけるほか、情報の取り忘れなどの問題があった。一方、現在位置に応じた情報をダウンロード受信する技術にあっては、ＧＰＳ（全地球測位システム）受信機を搭載する必要があった。
【０００４】
この発明の課題は、情報をダウンロードする毎に特別なキー操作を行う必要はなく、非接触ＩＣ処理機能を利用した際に、所望する情報をダウンロードできるようにすることである。
【課題を解決するための手段】
【０００５】
請求項１記載の発明は、外部処理装置との間で非接触通信を行う非接触ＩＣ処理機能付き携帯端末装置であって、情報配信サービスを実施する情報配信装置から情報配信サービスを受けるか否かを示すサービス要否を配信制御情報として記憶する制御情報記憶手段と、前記非接触ＩＣ処理機能を利用した際に、前記外部処理装置からの受信情報に基づいて前記情報配信サービスの提供先を特定する特定手段と、前記配信制御情報を参照してサービス要否の何れが記憶されているかを判別する判別手段と、この判別手段によってサービス要が記憶されていることが判別された場合に、前記特定手段によって特定された提供先である前記情報配信装置に対して配信要求を行い、これに応答して当該情報配信装置から送信されてくる情報をダウンロード受信するダウンロード手段とを具備したことを特徴とする。
更に、コンピュータに対して、上述した請求項１記載の発明に示した主要機能を実現させるためのプログラムを提供する（請求項９記載の発明）。
【０００６】
なお、上述した請求項１記載の発明は次のようなものであってもよい。
前記特定手段は、前記外部処理装置から前記情報配信サービスの提供先を示す情報を受信することによって当該提供先を特定する（請求項２記載の発明）。
【０００７】
前記外部処理装置から前記情報配信サービスのサービス種別を受信することによってその種別に対応して情報の配信要求を行い、これに応答して当該情報配信装置から送信されてくる当該種別の情報をダウンロード受信する（請求項３記載の発明）。
【０００８】
前記特定手段は、前記非接触ＩＣ処理機能を利用した際に、前記外部処理装置が前記情報配信サービスの一環として設けられている特定の外部処理装置であるか否かを判別し、特定の外部処理装置であれば、当該情報配信サービスの提供先を特定する（請求項４記載の発明）。
この場合、前記外部処理装置の種類に対応して情報配信サービスの提供先を記憶管理する提供先記憶手段を設け、前記特定手段は、前記非接触ＩＣ処理機能を利用した際に、その外部処理装置の種類に対応付けられている提供先を前記提供先記憶手段から読み出して特定するようにしてもよい（請求項５記載の発明）。
【０００９】
予め設定された登録情報を読み出して出力する登録情報出力手段と、前記ダウンロード受信した情報を前記登録情報出力手段に対する登録情報とするか否かを示す登録要否を記憶する記憶手段とを設け、前記登録要否の何れが記憶されているかを判別し、登録要が記憶されている場合には、前記ダウンロード受信した情報を前記登録情報出力手段に対する登録情報として設定する（請求項６記載の発明）。
【００１０】
前記非接触ＩＣ処理機能を利用した際とは、前記非接触ＩＣ処理機能と外部処理装置との間での交信が成功した時点であり、この時点以降に前記外部処理装置から受信した情報に基づいて前記情報配信サービスの提供先を特定する（請求項７記載の発明）。
【００１１】
前記情報配信装置から提供された情報をダウンロード対象として任意に選択された場合に、その情報をダウンロード受信する（請求項８記載の発明）。
【発明の効果】
【００１２】
この発明は、情報をダウンロードする毎に特別なキー操作を行う必要はなく、非接触ＩＣ処理機能を利用した際に直ちに所望する情報をダウンロード受信して利用することができ、利便性と確実性を高めることが可能となる。
【発明を実施するための最良の形態】
【００１３】
（実施例１）
以下、図１〜図６を参照して本発明の第１実施例を説明する。
図１は、携帯端末装置として適用した携帯電話装置のネットワークシステムを示したブロック図である。
この携帯電話装置１は、通話機能、電子メール機能、インターネット接続機能（Ｗｅｂアクセス機能）のほか、非接触ＩＣ処理機能などを有し、移動体通信網（携帯電話網）２、インターネット３を介して情報配信サーバ（情報配信装置）４に接続可能となっている。情報配信サーバ４は、例えば、着信メロディ、壁紙用画像、音楽、地図などの情報を配信するサービスを実施するもので、携帯電話装置１は、非接触ＩＣ処理機能を利用した際に情報配信サーバ４に対して配信要求を行い、これに応答して情報配信サーバ４から送信されてきた情報をダウンロード受信するようにしている。なお、情報配信サーバ４は、携帯電話装置１からの配信要求に応答して情報を送信するプル型配信を行うようにしている。
【００１４】
図２は、携帯電話装置１の基本的な構成要素を示したブロック図である。
ＣＰＵ１１は、記憶部１２内の各種のプログラムに応じてこの携帯電話装置の全体動作を制御する中核的な中央演算処理装置であり、このメインＣＰＵ１１のほか、この携帯電話装置には、例えば、映像、音声データの受送信機能、受信映像の再生機能などの機能別に、複数のサブＣＰＵ（図示せず）を有する構成となっている。記憶部１２は、不揮発性メモリ(内部メモリ)であり、例えば、フラッシュメモリなどによって構成され、プログラム領域とデータ領域とを有し、このプログラム領域には、後述する図３及び図４に示す動作手順に応じて本実施例を実現するためのプログラムが格納され、記憶部１２のデータ領域には、サービス要否情報３１、登録要否情報３２などが格納されている。
【００１５】
サービス要否情報３１は、非接触ＩＣ処理機能を利用した際に情報配信サーバ４側で実施している情報配信サービスを受けるか否かを示す配信制御情報であり、予めユーザによって任意に設定されたものである。また、登録要否情報３２は、情報配信サーバ４からダウンロード受信した情報を着信メロディ、壁紙用画像（待受画像）などとして登録設定するか否かを示す登録制御情報であり、予めユーザによって任意に設定されたものである。
記録メディア１３は、着脱自在な可搬型メモリで、各種のデータ・プログラムを外部供給するもので、例えば、スマートメディア、ＩＣカードなどによって構成されている。メモリ１４は、ワーク領域を有する内部メモリで、例えば、ＤＲＡＭ、ＳＤＲＡＭ（Synchronous DRAM）などによって構成され、必要に応じてメモリ１４内の各種のデータは、記憶部１２にセーブされる。
【００１６】
電話通信部１５は、無線部を構成するアンテナ１５Ａに接続された送受信部（ベースバンド部）の受信側から信号を取り込んで受信ベースバンド信号に復調したのちに、音声制御部１６を介して音声スピーカ１７から音声出力させる。また、電話通信部１５は、音声マイク１８から入力された音声データを音声制御部１６から取り込み、送信ベースバンド信号に符号化したのちに送受信部の送信側に与えられてアンテナ１５Ａから発信出力させる。一方、電子メール機能、インターネット接続機能によって電話通信部１５を介して受信取得した表示データは、表示制御部１９を介してＬＣＤ（液晶表示装置）などのメイン表示部２０に与えられて表示出力される。サブ表示部２１は現在日時、簡易なメッセージ、アイコンなどを表示する。
【００１７】
キー操作部２２は、ダイヤル入力、文字入力、コマンド入力などを行うもので、ＣＰＵ１１は、キー操作部２２からのキー入力信号に応じた処理を実行する。報知部２３は、着信報知などの報知用のスピーカ、ＬＥＤ(発光ダイオード)、振動モータを備え、電話・メール着信時に駆動されて着信報知を行うほか、アラーム報知時にも駆動される。
非接触ＩＣ処理部２４は、電子マネー利用機能として利用されるほか、交通機関の入場／退場を検出する電子乗車券機能として利用可能なもので、メモリ部、コイルアンテナ部を有し、リーダライタ付き外部処理装置３０との間で微弱電波による近距離通信が行われる。なお、非接触ＩＣ処理部２４は、受信電波によって電磁誘導されたコイルアンテナ部での起電力を動作電力として動作するもので、非接触ＩＣ処理部２４の起動に応じて出力される起動信号はＣＰＵ１１に与えられる。
【００１８】
ここで、非接触ＩＣ処理部２４とリーダライタ付き外部処理装置３０との間においては、電子マネー利用あるいは電子乗車券利用に応じた支払い処理のための交信が行われるが、その処理結果に拘らず（支払いが完了したか、残高不足であったかに拘らず）、その交信が成功して非接触ＩＣ処理機能を利用した際には、情報配信サーバ４に対して配信要求を行うようにしている。したがって、非接触ＩＣ処理機能を利用した際とは、その処理結果に拘らず、リーダライタ付き外部処理装置３０との交信が成功した時点である。リーダライタ付き外部処理装置３０は、情報配信先を示す「アクセス先」と、配信情報の種類（ジャンルなど）を示す「サービス種別」を含むサービス識別情報を発信するようにしている。なお、上述の「アクセス先」は、情報配信サーバ４のＵＲＬ(Uniform Resource Identifier)である。
【００１９】
次に、この第１実施例における携帯電話装置の動作概念を図３及び図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００２０】
図３及び図４は、電源投入に伴って実行開始される携帯電話装置の全体動作を示したフローチャートである。
先ず、ＣＰＵ１１は、電話通信部１５を作動させて現在位置の登録応答を行うと共に、所定の待受画像を読み出して表示出力させながら電話／メールの待受状態となる（ステップＡ１）。この状態において、通話／メール着信有りを検出すると（ステップＡ２でＹＥＳ）、報知部１３を駆動させて着信メロディなどを発生出力させる着信報知を行うと共に、通話あるいは受信メールの着信処理を実行する(ステップＡ３)。なお、上述した着信メロディ、待受画像は、ユーザが任意に設定登録した情報であるが、情報配信サーバ４からダウンロード受信して記憶部１２などに設定登録した情報であってもよい。
【００２１】
この待受状態においてＣＰＵ１１は、非接触ＩＣ処理部２４が起動したかをチェックしたり（ステップＡ４）、キー操作部２２上で何らかの操作が行われたかをチェックしている（図４のステップＡ１８）。いま、何らかの操作が行われると（ステップＡ１８でＹＥＳ）、サービス要否情報３１の設定あるいは登録要否情報３２の設定を指示するサービス設定操作であるかを調べ（ステップＡ１９）、それ以外の操作であれば（ステップＡ１９でＮＯ）、操作対応の処理として、例えば、通話発信、メール作成処理などが行われるが（ステップＡ２０）、サービス設定操作であれば、サービス要否選択メニューを表示出力させる（ステップＡ２１）。
【００２２】
図５は、サービス要否選択メニュー画面を示した図である。
この選択メニュー画面は、非接触ＩＣ処理機能の利用時に情報配信サービスを受けるか否かを指示する「する」、「しない」のメニュー項目を有する構成で、  このメニュー画面から任意の項目が選択指定されると（ステップＡ２２）、ＣＰＵ１１は、選択された項目情報をサービス要否情報３１として記憶部１２に設定させる（ステップＡ２３）。ここで、メニュー項目の「する」が選択されて“サービス要”の設定が行われた場合（情報配信サービスを受ける設定が行われた場合）には（ステップＡ２４でＹＥＳ）、登録要否選択メニュー画面を表示出力させる（ステップＡ２５）。
【００２３】
図６は、登録要否選択メニュー画面を示した図である。
この選択メニュー画面は、情報配信サーバ４からダウンロード受信した情報を着信メロディ、待受画像などとして登録設定するか否かを指示する「する」、「しない」のメニュー項目を有する構成で、このメニュー画面から任意の項目が選択指定されると（ステップＡ２６）、ＣＰＵ１１は、選択された項目情報を登録要否情報３２として記憶部１２に設定させる（ステップＡ２７）。
【００２４】
一方、非接触ＩＣ処理部２４を電子マネー利用機能あるいは電子乗車券機能として利用された場合、つまり、リーダライタ付き外部処理装置３０からの受信電波によって非接触ＩＣ処理部２４が起動すると（図３のステップＡ４でＹＥＳ）、リーダライタ付き外部処理装置３０と非接触ＩＣ処理部２４との間において電子マネー利用あるいは電子乗車券利用に応じた支払い処理が実行される（ステップＡ５）。そして、この支払い処理の結果に拘らず、リーダライタ付き外部処理装置３０との交信が成功したか否かを判別し（ステップＡ６）、交信不能などの理由によって不成功であれば、非接触ＩＣ処理部２４の起動を無効とするために待受状態に戻るが（ステップＡ１）、交信が成功した場合には、リーダライタ付き外部処理装置３０から発信されるサービス識別情報を受信したかをチェックする（ステップＡ７）。
【００２５】
ここで、外部処理装置３０からサービス識別情報を受信しなければ（ステップＡ７でＮＯ）、非接触ＩＣ処理を終了させるために待受状態に戻るが（ステップＡ１）、サービス識別情報を受信すると（ステップＡ７でＹＥＳ）、ＣＰＵ１１は、サービス要否情報３１を参照し、情報配信サービスを受ける“サービス要”が設定されているかをチェックする（ステップＡ８）。いま、情報配信サービスを拒否する設定であれば（ステップＡ８でＮＯ）、この時点で非接触ＩＣ処理を終了させるために待受状態に戻るが（ステップＡ１）、“サービス要”が設定されていれば、ステップＡ９に移って、リーダライタ付き外部処理装置３０から受信取得したサービス識別情報から情報配信先を示す「アクセス先」と配信情報の種類を示す「サービス種別」を読み出したのち、この「アクセス先」である情報配信サーバ４に対して「サービス種別」で示される情報の配信要求を行う（ステップＡ１０）。
【００２６】
この配信要求に応答して情報配信サーバ４から送信されてきた情報メニューを受信すると、ＣＰＵ１１は、それをメイン表示部２０に表示出力させる（ステップＡ１１）。この情報メニュー画面は、例えば、「サービス種別」に該当する各種の情報を一覧表示するもので、この一覧画面から所望する情報が選択指定されると（ステップＡ１２）、この選択情報の送信要求を情報配信サーバ４に対して行う（ステップＡ１３）。そして、この要求に応答して情報配信サーバ４から送信されてきた情報をダウンロード受信すると、これをメモリ１４のワーク域内に一時記憶しておく（ステップＡ１４）。
【００２７】
そして、ＣＰＵ１１は、登録要否情報３２を参照し、情報配信サーバ４からダウンロード受信した情報を登録設定する“登録要”が設定されているかをチェックし（ステップＡ１５）、“登録要”が設定されていれば、ダウンロード受信した情報を着信メロディ、待受画像などとして登録設定するが（ステップＡ１６）、登録を拒否する設定であれば（ステップＡ１５でＮＯ）、ダウンロード受信した情報を所定のフォルダ内に格納する（ステップＡ１７）。このようにして非接触ＩＣ処理機能の利用に伴って実行開始されたダウンロード処理が終了すると、待受状態に戻る（ステップＡ１）。
【００２８】
以上のように、この第１実施例においては、予めサービス要否情報３１が設定記憶されている状態において、非接触ＩＣ処理部２４を利用した際に、ＣＰＵ１１は、リーダライタ付き外部処理装置３０からの受信情報に基づいて情報配信サービスの提供先を特定すると共に、サービス要否情報３１を参照し、“サービス要”が設定記憶されている場合には、当該提供先の情報配信サーバ４に対して配信要求を行い、これに応答して当該情報配信サーバ４から送信されてくる情報をダウンロード受信するようにしたから、情報をダウンロードする毎に特別なキー操作を行う必要はなく、また、ＧＰＳ受信機を搭載する必要もなく、非接触ＩＣ処理部２４を利用した際に直ちに所望する情報をダウンロード受信して利用することができ、利便性と確実性を高めることが可能となる。
【００２９】
リーダライタ付き外部処理装置３０から情報配信サービスの提供先を示す「アクセス先」を受信することによって情報配信サーバ４を特定するようにしたので、情報配信サーバ４を直接アクセスすることができる。また、リーダライタ付き外部処理装置３０から情報配信サービスの「サービス種別」を受信することによってその種別に対応して情報の配信要求を行い、これに応答して情報配信サーバ４から送信されてくる当該種別の情報をダウンロード受信するようにしたので、例えば、非接触ＩＣ処理部２４を利用した時間帯毎、外部処理装置３０毎、携帯電話のユーザ毎に異なる種類の情報をダウンロード受信することが可能となる。
【００３０】
予め登録要否情報３２が設定登録されている状態において、“登録要”が設定記憶されている場合には、情報配信サーバ４からダウンロード受信した情報を着信メロディ、待受画像などとして登録設定するようにしたので、ダウンロード受信と同時に登録設定が可能となる。また、非接触ＩＣ処理部２４とリーダライタ付き外部処理装置３０との間においては、電子マネー利用あるいは電子乗車券に応じた支払い処理のための交信が成功して非接触ＩＣ処理機能を利用した際に、情報配信サーバ４に対して配信要求を行うようにしたから、その処理結果に拘らず（支払いが完了したか、残高不足であったかに拘らず）、情報配信を要求することが可能となる。また、情報配信サーバ４から送信されてきた「サービス種別」対応の情報をメニュー表示させ、その中かにダウンロード対象として任意に選択された情報をダウンロード受信するようにしたから、ユーザ好みの情報を選ぶことができる。
（実施例２）
【００３１】
以下、この発明の第２実施例について図７及び図８を中心に説明する。
なお、上述した第１実施例においては、リーダライタ付き外部処理装置３０から情報配信サービスの提供先を示す「アクセス先」を受信することによって情報配信サーバ４を特定するようにしたが、この第２実施例においては、リーダライタ付き外部処理装置３０が情報配信サービスの一環として設けられている特定の外部処理装置３０であるか否かを判別し、特定の外部処理装置３０であれば、当該情報配信サービスを提供する情報配信サーバ４を特定するようにしたものである。
ここで、両実施例において基本的あるいは名称的に同一のものは、同一符号を付して示し、その説明を省略すると共に、以下、第２実施例の特徴部分を中心に説明するものとする。
【００３２】
図７は、第２実施例において情報配信サーバ４を特定するためのサービステーブル３３の内容を示した図である。
このサービステーブル３３は、リーダライタ付き外部処理装置３０の種類を識別する「端末ＩＤ」に対応して情報配信サービスの「アクセス先」を記憶管理するもので、ＣＰＵ１１は、非接触ＩＣ処理部２４を利用した際に、その外部処理装置３０から受信取得した「端末ＩＤ」に基づいてサービステーブル３３を検索することによって対応する「アクセス先」を読み出して情報配信サーバ４を特定する。なお、「端末ＩＤ」は、リーダライタ付き外部処理装置３０の種類に対応して、例えば、電子マネー用としての取引端末、電子乗車券用としての改札口端末などを識別する情報である。
【００３３】
図８は、第１実施例における図３のフローチャートに代わる第２実施例のフローチャートである。
先ず、ＣＰＵ１１は、現在位置の登録と共に待受画像を表示出力させながら電話／メールの待受状態において（ステップＢ１）、通話／メール着信有りを検出すると（ステップＢ２でＹＥＳ）、着信報知を行うと共に、通話あるいは受信メールの着信処理を実行する(ステップＢ３)。また、待受状態においてリーダライタ付き外部処理装置３０からの受信電波によって非接触ＩＣ処理部２４が起動すると（ステップＢ４でＹＥＳ）、リーダライタ付き外部処理装置３０から送信されてきた「端末ＩＤ」を受信取得すると共に（ステップＢ５）、この外部処理装置３０と非接触ＩＣ処理部２４との間において電子マネー利用あるいは電子乗車券利用に応じた支払い処理が実行される（ステップＢ６）。
【００３４】
そして、リーダライタ付き外部処理装置３０との交信が成功したか否かを判別し（ステップＢ７）、交信不能などの理由によって不成功であれば、非接触ＩＣ処理部２４の起動を無効とするために待受状態に戻るが（ステップＢ１）、交信が成功した場合、ＣＰＵ１１は、サービス要否情報３１を参照し、情報配信サービスを受ける“サービス要”が設定されているかをチェックする（ステップＢ８）。ここで、情報配信サービスを拒否する設定であれば（ステップＢ７でＮＯ）、この時点で非接触ＩＣ処理を終了させるために待受状態に戻るが（ステップＢ１）、“サービス要”が設定されていれば（ステップＢ８でＹＥＳ）、リーダライタ付き外部処理装置３０から受信取得した「端末ＩＤ」がサービステーブル３３に登録されているかを調べる（ステップＢ９）。
【００３５】
ここで、今回受信した「端末ＩＤ」が未登録であれば、ユーザの確認を受けたうえでサービステーブル３３に新規登録する処理に移る（ステップＢ１０〜Ｂ１３）。すなわち、「端末ＩＤ」を登録するか否かを問い合わせるメッセージを表示出力させた状態において（ステップＢ１０）、登録の拒否が選択された場合には（ステップＢ１１でＮＯ）、この時点で非接触ＩＣ処理を終了させるために待受状態に戻るが（ステップＢ１）、登録が要求された場合に（ステップＢ１１でＹＥＳ）、情報配信サービスを提供する「アクセス先」がユーザ操作によって入力されると（ステップＢ１２）、今回受信した「端末ＩＤ」と「アクセス先」とを対応付けてサービステーブル３３に新規登録する（ステップＢ１３）。
【００３６】
そして、今回受信した「端末ＩＤ」に対応する「アクセス先」をサービステーブル３３から読み出し（ステップＢ１４）、この「アクセス先」である情報配信サーバ４に対して情報の配信要求を行う（ステップＢ１５）。この配信要求に応答して情報配信サーバ４から送信されてきた情報をダウンロード受信すると、これをメモリ１４のワーク域内に一時記憶しておく（ステップＢ１６）。そして、ＣＰＵ１１は、登録要否情報３２を参照し、情報配信サーバ４からダウンロード受信した情報を着信メロディ、待受画像などとして登録設定する“登録要”が設定されているかをチェックする（ステップＢ１７）。
【００３７】
ここで、“登録要”が設定されていれば、ダウンロード受信した情報を着信メロディ、待受画像などとして登録設定するが（ステップＢ１８）、登録を拒否する設定であれば（ステップＢ１７でＮＯ）、ダウンロード受信した情報を所定のフォルダ内に格納する（ステップＢ１９）。このようにして非接触ＩＣ処理機能の利用に伴って実行開始されたダウンロード処理が終了すると、待受状態に戻る（ステップＢ１）。
なお、この待受状態において何らかの操作が行われた場合には（図４のステップＡ）、上述と同様に、サービス要否情報３１あるいは登録要否情報３２を設定する処理が行われる。
【００３８】
以上のように、この第２実施例においては、リーダライタ付き外部処理装置３０の種類を識別する「端末ＩＤ」に対応して情報配信サービスの「アクセス先」がこのサービステーブル３３に記憶管理されている状態において、ＣＰＵ１１は、非接触ＩＣ処理部２４を利用した際に、その外部処理装置３０から受信取得した「端末ＩＤ」に基づいてサービステーブル３３を検索して該当する「アクセス先」を読み出して情報配信サーバ４を特定するようにしたから、上述した第１実施例のように外部処理装置３０から「アクセス先」を受信取得しなくても、情報配信サーバ４の特定が可能となる。
【００３９】
なお、上述した各実施例においては、広域通信網に接続した情報配信サーバ４を例示したが、例えば、大型店舗、駅構内、テーマパーク、スポーツ会場などの構内通信網に接続した情報配信サーバであってもよい。
その他、携帯電話装置に限らず、例えば、非接触ＩＣ処理機能付きＰＤＡ・電子カメラ・電子腕時計・音楽再生機などの携帯端末装置であっても同様に適用可能である。
【図面の簡単な説明】
【００４０】
【図１】携帯端末装置として適用した携帯電話装置のネットワークシステムを示したブロック図。
【図２】携帯電話装置１の基本的な構成要素を示したブロック図。
【図３】電源投入に伴って実行開始される携帯電話装置の全体動作を示したフローチャート。
【図４】図３に続く、フローチャート。
【図５】サービス要否選択メニュー画面を示した図。
【図６】登録要否選択メニュー画面を示した図。
【図７】第２実施例において情報配信サーバ４を特定するためのサービステーブル３３の内容を示した図。
【図８】第１実施例における図３のフローチャートに代わる第２実施例のフローチャート。
【符号の説明】
【００４１】
１  携帯電話装置
４  情報配信サーバ
１１  ＣＰＵ
１２  記憶部
１５  電話通信部
２０、
２２  キー操作部
２４  非接触ＩＣ処理部
３０  リーダライタ付き外部処理装置
３１  サービス要否情報
３２  登録要否情報
３３  サービステーブル
【図１】
2007324940.tif 000003
【図２】
2007324940.tif 000004
【図３】
2007324940.tif 000005
【図４】
2007324940.tif 000006
【図５】
2007324940.tif 000007
【図６】
2007324940.tif 000008
【図７】
2007324940.tif 000009
【図８】
2007324940.tif 000010